(57)【要約】      （修正有）【課題】駆動装置と、カッテイング装置と、操作装置とを備えた、直接駆動式電動草刈り機を提供する。【解決手段】駆動装置に備えるアウトランナーモーター１１は固定子を設け、固定子の上方はベースに接続し、その外側はローターを嵌着し、ローターの下方は下部蓋に接続し、ベースは回転軸を内設し、回転軸の末端部は下部蓋に突き出す。操作装置３は駆動装置に備える連結具１２の上方に接続し、かつアウトランナーモーターに接続するコネクタ３２と、スイッチと、を有する。カッテイング装置２は回転軸下方の末端部及び下部蓋に接続する。操作装置を電源装置につなぎ、アウトランナーモーターを駆動すれば、アウトランナーモーターのローターが下部蓋と、回転軸とを駆動枢転し、回転軸と下部蓋がカッテイング装置を駆動回転することによって、アウトランナーモーターがより大きいねじれ率とトルクを提供でき、草刈り機による草刈り効率を向上できる。【選択図】図１
0003181518.tif 000002
【実用新案登録請求の範囲】
【請求項１】
駆動装置と、カッテイング装置と、操作装置と、を備える直接駆動式電動草刈り機であって、
前記駆動装置はアウトランナーモーターを有し、前記アウトランナーモーターの上方は連結具に接続していて、前記アウトランナーモーターは固定子をさらに有し、前記固定子の外側はローターを嵌設し、前記固定子はベースに接続しており、前記連結具は前記ベースに接続し、前記ローターの下方は下部蓋に接続し、前記連結具の下方は前記下部蓋に接続し、前記ベース部は回転軸を内設し、前記回転軸の末端部を前記下部蓋に延ばし、前記ローターによって、前記下部蓋と前記回転軸とを駆動枢転し、
前記カッテイング装置は前記駆動装置の前記下部蓋に接続され、
前記操作装置は棒体を有し、前記棒体の一端を前記駆動装置の前記連結具に接続し、他端は電源装置に接続するためのコネクタを設けていて、かつ、前記棒体にて把持具と、スイッチとを駆動装置の前記アウトランナーモーターと電気接続するように構成したことを特徴とする直接駆動式電動草刈り機。
【請求項２】
前記アウトランナーモーターのベースは取付ピンを内設し、前記固定子は固定穴を内設し、前記固定穴は前記取付ピンの外側に嵌設し、前記固定穴の側壁は第１取付溝を凹設し、前記取付ピンの表面は第２取付溝を凹設していて、かつ前記第１取付溝は前記第２取付溝に対向し、前記第１取付溝と前記第２取付溝は固定ブロックを内設することを特徴とする、請求項１記載の直接駆動式電動草刈り機。
【請求項３】
前記ローターは外部ハウジングを設け、前記外部ハウジングの内壁は間隔置きに複数の磁石を設け、前記下部蓋はベース部を設け、前記ベース部の周縁部は間隔置きに上向きにして複数の固定ピンを延設していて、かつ各前記固定ピンをそれぞれ隣接する２つの前記磁石の間に固定することを特徴とする、請求項１記載の直接駆動式電動草刈り機。
【請求項４】
前記アウトランナーモーターの前記ベースは前記取付ピンを内設し、前記取付ピン上下の両端部はそれぞれ軸受を設け、前記回転軸を前記取付ピンに内設し、かつ前記回転軸の両端部はそれぞれ前記軸受にそれぞれ接続することを特徴とする、請求項１記載の直接駆動式電動草刈り機。
【請求項５】
前記取付ピンの上端部に備える前記軸受の上方は締付具を設け、前記締付具を前記回転軸に締め付けることを特徴とする、請求項４記載の直接駆動式電動草刈り機。
【請求項６】
前記アウトランナーモーターの前記下部蓋は前記ベース部を設け、前記ベース部の表面は切欠きを設け、前記回転軸の下部端は固定棒を設け、前記固定棒の両端は前記切欠きの内部に位置することを特徴とする、請求項１記載の直接駆動式電動草刈り機。
【請求項７】
前記駆動装置の前記連結具はフードを設けられ、前記フードは固定素子によって、前記アウトランナーモーターの前記ベース表面に締め付けていて、かつ前記フードの一側は当接棒を設け、前記当接棒の末端部を前記操作装置の内部に当接し、前記固定素子を利用して前記棒体に締め付けることを特徴とする、請求項１記載の直接駆動式電動草刈り機。
【請求項８】
前記カッテイング装置はロープ回転式カッターを設け、前記ロープ回転式カッターは前記回転軸と、前記下部蓋の表面に接続することを特徴とする、請求項１記載の直接駆動式電動草刈り機。
【請求項９】
前記カッテイング装置はブレード式カッターを設け、前記ブレード式カッターは前記回転軸と、前記下部蓋の表面に接続することを特徴とする、請求項１記載の直接駆動式電動草刈り機。
【考案の詳細な説明】
【技術分野】
【０００１】
本考案は直接駆動式電気草刈り機に関し、特にアウトランナーモーターを備える草刈り機に関する。
【背景技術】
【０００２】
公知の草刈り機エンジンはガソリンまたはディゼール油を駆動動力源として利用されている。ガソリンまたはディゼール油による動力駆動は廃ガス（二酸化硫黄、一酸化炭素など）が排出されるため、環境保護の流れにそぐわない。
【考案の概要】
【考案が解決しようとする課題】
【０００３】
そのため、当業者は市電または電池により、カーボンブラシ付きモーターに電気供給し環境要求に対応している。しかし、カーボンブラシ付きモーターはカーボンブラシをコイルに接触させることによって、電流の流れ方向を改変しモーターを回転させているため、カーボンブラシにあまり大きい電流を流すことはできなく、減速ギヤによるトルク向上の必要があることから、寿命は短く、効率も低い。
【課題を解決するための手段】
【０００４】
本考案の主な目的は、アウトランナーモーターを利用し、大きいねじれ率と大きいトルクを発生しモーターの駆動動力として、草刈り機のより効率的な草刈り作業を提供でき、かつ、環境保護の効果を有する。
【０００５】
前述目的を達成するため、本考案の草刈り機は駆動装置と、カッテイング装置と、操作装置と、を備える。駆動装置はアウトランナーモーターを有し、アウトランナーモーターは固定子を設け、固定子の外側はローターを嵌設し、ローターの下方は下部蓋に接続していて、かつ固定子の上方はベースに接続し、ベースは回転軸を内設し、回転軸の末端部を下部蓋に突き出すことによって、ローターより下部蓋と回転軸の駆動枢転を提供し、アウトランナーモーターに備えるベースの上方は連結具に接続する。カッテイング装置は駆動装置の下部蓋に接続する。操作装置は駆動装置に備える連結具の上方に接続する棒体を有し、棒体の他端は電源装置に接続するためのコネクタを設けられ、棒体にて把持具と、スイッチとを設け、コネクタとスイッチとを駆動装置に備えるアウトランナーモーターと電気接続する。
【図面の簡単な説明】
【０００６】
【図１】本考案の好ましい実施例１による立体外観図である。
【図２】本考案の好ましい実施例１局所による立体外観分解図である。
【図３】本考案の好ましい実施例１によるアウトランナーモーター局所の分解図である。
【図４】本考案の好ましい実施例１によるアウトランナーモーターの立体分解図である。
【図５】本考案の好ましい実施例１によるアウトランナーモーターの断面図である。
【図６】本考案の好ましい実施例１局所による立体外観分解図である。
【図７】本考案の好ましい実施例２による立体外観図である。
【考案を実施するための形態】
【０００７】
以下、添付図面を参照して本考案の実施の形態を詳細に説明する。
【実施例】
【０００８】
図１ないし６を参照する。図から明かのように、本考案の好ましい実施例１において、草刈り機は駆動装置１と、カッテイング装置２と、操作装置３と、を備える。
【０００９】
駆動装置１はアウトランナーモーター１１と連結具１２とを有し、アウトランナーモーター１１は固定子１１１を設け、固定子１１１は固定穴１１１１を内設し、固定穴１１１１の側壁は第１取付溝１１１２を凹設し、固定子１１１の外側はローター１１２を嵌設し、ローター１１２は外部ハウジング１１２１を設け、外部ハウジング１１２１の内壁は間隔置きに複数の磁石１１２２を設け、それぞれの磁石１１２２は固定子１１１外周縁の表面に対向し、固定子１１１の一側はベース１１３に連結し、ベース１１３は取付ピン１１３１を内設し、取付ピン１１３１上下の両端部はそれぞれ軸受１１７を設け、取付ピン１１３１は固定穴１１１１の内側に嵌設していて、かつ取付ピン１１３１の表面は第２取付溝１１３２を凹設し、第２取付溝１１３２は固定穴１１１１の第１取付溝１１１２に対向していて、かつ第１取付溝１１１２と第２取付溝１１３２との間は固定ブロック１１６を設け、ローター１１２の下方は下部蓋１１４に接続し、下部蓋１１４の下方はベース部１１４１を有し、ベース部１１４１の周縁部は間隔置きに上向きに複数の固定ピン１１４２を延在していて、かつ各固定ピン１１４２はそれぞれ隣接する２つの磁石１１２２の間に固定し、ベース部１１４１の表面は切欠き１１４３を設け、ベース１１３の取付ピン１１３１は回転軸１１５を内設し、回転軸１１５はベース１１３の取付ピン１１３１に穿設していて、かつ回転軸１１５両端部をそれぞれ取付ピン１１３１両端部の軸受１１７に穿設し、回転軸１１５上方の末端部に備える軸受１１７は締付具１１８を設け、締付具１１８を回転軸１１５に締め付け、回転軸１１５下方の末端部を下部蓋１１４に延ばし、回転軸１１５の下部は固定棒１１９を穿設し、固定棒１１９の両端部は下部蓋１１４に備える切欠き１１４３の内部に位置し、連結具１２はフード１２１を設け、フード１２１は複数の締め付け穴１２１１を設け、フード１２１の一側は当接棒１２２に接続する。
【００１０】
カッテイング装置２はロープ回転式カッター２１を設け、ロープ回転式カッター２１は回転ディスク２１１を有し、回転ディスク２１１はロープ体２１２を接続していて、かつ回転ディスク２１１は固定素子４によって、下部蓋１１４底面の回転軸１１５に締め付けられている。
【００１１】
操作装置３は棒体３１を設け、棒体３１の一端はコネクタ３２を設け、棒体３１にて把持具３３とスイッチ３４と、を設ける。
【００１２】
これにより、本考案を組み立てるときは、駆動装置１の連結具１２をアウトランナーモーター１１上方のベース１１３に接続することによって、連結具１２のフード１２１とベース１１３とを相互に接続させ、引き続き、固定素子４をフード１２１の締め付け穴１２１１に貫いてベース１１３の表面に固定し、連結具１２のフード１２１とアウトランナーモーター１１のベース１１３とを相互に締め付けて固定を形成し、駆動装置１の連結具１２を操作装置３に備える棒体３１の一側に接続することによって、連結具１２に備える当接棒１２２の末端部を操作装置３に備える棒体３１の内部に当接し、さらに、固定素子４を利用して当接棒１２２を棒体３１に締め付け、一方、操作装置３のコネクタ３２を電源装置（図示しない）に接続し、かつコネクタ３２とスイッチ３４とを駆動装置１のアウトランナーモーター１１と電気接続して置き、引き続き、カッテイング装置２のロープ回転式カッター２１を駆動装置１の回転軸１１５と下部蓋１１４の表面に接続することによって、ロープ回転式カッター２１の回転ディスク２１１を回転軸１１５に接続させ、さらに固定素子４を利用し、回転軸１１５と回転ディスク２１１とを固定して固定を形成する。図１に示すように、好ましい実施例１において、使用するときは操作装置３のスイッチ３４をオンにし、駆動装置１と電気接続していたアウトランナーモーター１１が稼働を開始し、アウトランナーモーター１１のローター１１２が下部蓋１１４と回転軸１１５とを駆動枢転し、カッテイング装置２に備えるロープ回転式カッター２１の回転ディスク２１１はアウトランナーモーター１１の下部蓋１１４と回転軸１１５の駆動によって枢転し、ロープ回転式カッター２１のロープ体２１２が高速に回転してカッテイング働きを形成し、使用者の草刈り作業を提供する。
【００１３】
図７、本考案の好ましい実施例２を参照する。図から明かのように、好ましい実施例２と好ましい実施例１と異なる点は、カッテイング装置２はブレード式カッター２２を設けられ、ブレード式カッター２２は固定素子４を利用してアウトランナーモーター１１の回転軸１１５と下部蓋１１４の表面に接続されている。好ましい実施例２において、使用するときは操作装置３のスイッチ３４をオンにし、駆動装置１と電気接続されているアウトランナーモーター１１が稼働し、アウトランナーモーター１１のローター１１２が下部蓋１１４と回転軸１１５とを駆動枢転することによって、ブレード式カッター２２は下部蓋１１４と回転軸１１５の駆動によって枢転し、ブレード式カッター２２が高速回転して、カッテイング働きを発生し、使用者の草刈り作業を提供する。
【符号の説明】
【００１４】
１                  駆動装置
１１              アウトランナーモーター
１１１          固定子
１１１１      固定穴
１１１２      第１取付溝
１１２          ローター
１１２１      外部ハウジング
１１２２      磁石
１１３          ベース
１１３１      取付ピン
１１３２      第２取付溝
１１４          下部蓋
１１４１      ベース部
１１４２      固定ピン
１１４３      切欠き
１１５          回転軸
１１６          固定ブロック
１１７          軸受
１１８          締付具
１１９          固定棒
１２              連結具
１２１          フード
１２１１      締め付け穴
１２２          当接棒
２                  カッテイング装置
２１              ロープ回転式カッター
２１１          回転ディスク
２１２          ロープ体
２２              ブレード式カッター
３                  操作装置
３１              棒体
３２              コネクタ
３３              把持具
３４              スイッチ
４                  固定素子
【図１】
0003181518.tif 000003
【図２】
0003181518.tif 000004
【図３】
0003181518.tif 000005
【図４】
0003181518.tif 000006
【図５】
0003181518.tif 000007
【図６】
0003181518.tif 000008
【図７】
0003181518.tif 000009